(57)【要約】【課題】閲覧を許可されていないユーザが閲覧できないように画面の表示を自動的に制御できる表示制御装置、表示制御方法、表示制御プログラム、および表示制御プログラム記録媒体を提供する。【解決手段】人物を識別し識別部３０と、表示装置２に表示されたファイルの内容を閲覧する許可がなされている閲覧許可ユーザを規定する閲覧許可情報と識別結果をを比較して人物が閲覧許可ユーザであるか否かを判定する判定部４０と、人物の位置と表示装置２との距離を算出する距離算出部５１と、人物が閲覧許可ユーザでない場合に、距離と最小可読文字サイズとの関係を示す文字サイズ情報を参照し、距離に応じて表示装置２に表示された文字のサイズを変更するサイズ変更部５２とを備える。【選択図】図１
2007163864.tif 000002
【特許請求の範囲】
【請求項１】
表示装置を制御する表示制御装置であって、
人物を識別し、識別結果を識別結果格納手段に格納する識別手段と、
前記表示装置に表示されたファイルの内容を閲覧する許可がなされている閲覧許可ユーザを規定する閲覧許可情報及び前記識別結果を、許可情報格納手段及び前記識別結果格納手段からそれぞれ読み出し、前記閲覧許可情報と前記識別結果を比較して前記人物が前記閲覧許可ユーザであるか否かを判定し、判定結果を判定結果格納手段に格納する判定手段と、
前記人物の位置と前記表示装置との距離を算出し、算出結果を算出結果格納手段に格納する距離算出手段と、
前記判定結果、前記算出結果、及び前記距離と最小可読文字サイズとの関係を示す文字サイズ情報を、前記判定結果格納手段、前記算出結果格納手段及び文字サイズ情報格納手段からそれぞれ読み出し、前記人物が閲覧許可ユーザでない場合に、前記文字サイズ情報を参照し、前記距離に応じて前記表示装置に表示された文字のサイズを変更するサイズ変更手段
とを備えることを特徴とする表示制御装置。
【請求項２】
前記人物が閲覧許可ユーザでない場合に、前記サイズ変更手段が、前記最小可読文字サイズ以上の文字を前記表示装置に表示された文字から検出し、少なくとも前記検出された文字のサイズを前記最小可読文字サイズより小さいサイズに変更することを特徴とする請求項１に記載の表示制御装置。
【請求項３】
前記人物が閲覧許可ユーザでない場合に、前記サイズ変更手段が、前記最小可読文字サイズ以上の文字を前記表示装置に表示された文字から検出し、前記検出された文字のみサイズを前記最小可読文字サイズより小さいサイズに変更することを特徴とする請求項１に記載の表示制御装置。
【請求項４】
前記識別手段が識別したすべての人物が前記閲覧許可ユーザでない場合に、前記ファイルの内容全体を表示しないように前記表示装置を制御する制御手段を更に有することを特徴とする請求項１乃至３のいずれか１項に記載の表示制御装置。
【請求項５】
前記識別手段が識別した全ての人物が前記閲覧許可ユーザである場合に、前記制御手段が、前記ファイルの内容全体を前記表示装置に表示させることを特徴とする請求項４に記載の表示制御装置。
【請求項６】
前記人物の視線が前記表示装置に向いているか否かを検出する視線検出手段を更に備え、前記サイズ変更手段が前記表示装置と前記人物との距離及び前記視線の方向に応じて前記表示装置に表示される文字のサイズを変更することを特徴とする請求項１乃至５のいずれか１項に記載の表示制御装置。  
【請求項７】
前記識別手段が、
画像情報を取得する撮像手段と、
前記画像情報を解析して、前記画像情報に人物の情報が含まれるか否かを検出する人物検出手段と、
予め登録された登録情報を参照して、前記検出された人物を同定する同定手段
とを備えることを特徴とする請求項１乃至６のいずれか１項に記載の表示制御装置。
【請求項８】
識別手段、判定手段、距離算出手段、サイズ変更手段、識別結果格納手段、許可情報格納手段、判定結果格納手段、算出結果格納手段及び文字サイズ情報格納手段を備える表示制御装置を用いて表示装置を制御する表示制御方法であって、
前記識別手段が人物を識別し、識別結果を前記識別結果格納手段に格納するステップと、
前記判定手段が、前記表示装置に表示されたファイルの内容を閲覧する許可がなされている閲覧許可ユーザを規定する閲覧許可情報及び前記識別結果を、前記許可情報格納手段及び前記識別結果格納手段からそれぞれ読み出し、前記閲覧許可情報と前記識別結果を比較して前記人物が前記閲覧許可ユーザであるか否かを判定し、判定結果を前記判定結果格納手段に格納するステップと、
前記距離算出手段が、前記人物の位置と前記表示装置との距離を算出し、算出結果を前記算出結果格納手段に格納するステップと、
前記サイズ変更手段が、前記判定結果、前記算出結果、及び前記距離と最小可読文字サイズとの関係を示す文字サイズ情報を、前記判定結果格納手段、前記算出結果格納手段及び前記文字サイズ情報格納手段からそれぞれ読み出し、前記人物が閲覧許可ユーザでない場合に、前記文字サイズ情報を参照し、前記距離に応じて前記表示装置に表示された文字のサイズを変更するステップ
とを含むことを特徴とする表示制御方法。
【請求項９】
表示装置を制御する表示制御プログラムであって、
識別手段に人物を識別させ、識別結果を識別結果格納手段に格納させる命令と、
判定手段に、前記表示装置に表示されたファイルの内容を閲覧する許可がなされている閲覧許可ユーザを規定する閲覧許可情報及び前記識別結果を、許可情報格納手段及び前記識別結果格納手段からそれぞれ読み出させ、前記閲覧許可情報と前記識別結果を比較して前記人物が前記閲覧許可ユーザであるか否かを判定させ、判定結果を判定結果格納手段に格納させる命令と、
距離算出手段に、前記人物の位置と前記表示装置との距離を算出させ、算出結果を算出結果格納手段に格納させる命令と、
サイズ変更手段に、前記判定結果、前記算出結果、及び前記距離と最小可読文字サイズとの関係を示す文字サイズ情報を、前記判定結果格納手段、前記算出結果格納手段及び文字サイズ情報格納手段からそれぞれ読み出させ、前記人物が閲覧許可ユーザでない場合に、前記文字サイズ情報を参照させ、前記距離に応じて前記表示装置に表示された文字のサイズを変更させる命令
とを実行させるための表示制御プログラム。
【請求項１０】
識別手段に人物を識別させ、識別結果を識別結果格納手段に格納させる命令と、
判定手段に、前記表示装置に表示されたファイルの内容を閲覧する許可がなされている閲覧許可ユーザを規定する閲覧許可情報及び前記識別結果を、許可情報格納手段及び前記識別結果格納手段からそれぞれ読み出させ、前記閲覧許可情報と前記識別結果を比較して前記人物が前記閲覧許可ユーザであるか否かを判定させ、判定結果を判定結果格納手段に格納させる命令と、
距離算出手段に、前記人物の位置と前記表示装置との距離を算出させ、算出結果を算出結果格納手段に格納させる命令と、
サイズ変更手段に、前記判定結果、前記算出結果、及び前記距離と最小可読文字サイズとの関係を示す文字サイズ情報を、前記判定結果格納手段、前記算出結果格納手段及び文字サイズ情報格納手段からそれぞれ読み出させ、前記人物が閲覧許可ユーザでない場合に、前記文字サイズ情報を参照させ、前記距離に応じて前記表示装置に表示された文字のサイズを変更させる命令
とを実行させるための表示制御プログラムを格納する表示制御プログラム記録媒体。
【発明の詳細な説明】
【技術分野】
【０００１】
本発明は、表示装置の制御装置に係り、特に画面上に文字を表示する表示装置の表示制御装置、表示制御方法、表示制御プログラム、および表示制御プログラム記録媒体に関する。
【背景技術】
【０００２】
従来、パーソナルコンピュータ（ＰＣ）に付属する画面等に表示された、他人に見られたくないファイルの内容（文字等）を隠すことは、ＰＣのユーザがマウスやキーボード等を用いて自ら手作業で行っている。例えば、ユーザが表示装置の電源をオフする、画面表示を消す、画面表示を最小化する、他の画面を表示する等を行う。
【０００３】
ところで、近年、画像情報に基づき人物、視線、顔の向き等を計測する計測技術の研究が精力的に行われている。例えば、複数の全方位カメラと能動型カメラを用いて、例えば３３[ｍｓ]毎の実時間計測によって人物の位置を抽出する方法が提案されている（非特許文献１参照。）。又、角膜反射法に基づき人物の視線の方向を実時間計測する方法が提案されている（非特許文献２参照。）。更に、ステレオカメラによって得られる距離情報と画像処理方法により顔の特徴点を追跡して、人物の顔の向きを実時間計測する方法が提案されている（非特許文献３参照。）。上記の技術は、ヒューマンインタフェース、或いは認知科学、心理学の分析用ツールとして利用されている。例えば、安全な車の運転環境を提供するために、運転中のドライバの視線方向の変化を解析して、ドライバが携帯電話での通話に集中しているか否かを判定する方法が提案されている（非特許文献４参照。）。
【０００４】
更に、近年、バイオメトリック個人識別技術の研究が活発化している。バイオメトリック識別は、顔、指紋、虹彩、静脈等の生体特徴に基づいて個人を確認するための技術である。バイオメトリック個人識別技術の中でも、顔識別技術は、（１）特殊なデバイスを必要とせず、既に普及しているカメラ等を用いることができる、（２）非接触であるため、ユーザへの心理的抵抗が少ない、等の利点がある。そのため、顔識別技術は様々な研究機関によって研究されている。例えば、目、鼻、口等の顔の主要な器官を特徴点として用いた個人識別方法が提案されている（非特許文献５参照。）。
【非特許文献１】青木勇太郎、土居元紀著、「複数の全方位画像センサと能動カメラを併用した独居高齢者見守りシステム」、第４６回システム制御情報学会研究発表講演会講演論文集、２００３年、ｐ．１２１２−１２１５
【非特許文献２】大野健彦、武川直樹、吉川厚著、「２点補正による簡易キャリブレーションを実現した視線測定システム」、情報処理学会論文誌、２００３年、Ｖｏｌ．４４、Ｎｏ．４、ｐ．１１３６−１１４９
【非特許文献３】ロイスーヒィリップ・モレンシィ（Ｌｏｉｕｓ−Ｐｈｉｌｉｐｐｅ）、他  著、「アダプティブ・ビュー・ベイスド・アピアランス・モデルズ（Ａｄａｐｔｉｖｅ  Ｖｉｅｗ−ｂａｓｅｄ  Ａｐｐｅａｒａｎｃｅ  Ｍｏｄｅｌｓ）」、米国電子通信技術者協会コンファレンス・オン・コンピュータ・ビジョン・アンド・パターン・レコグニッション（ＩＥＥＥ  Ｃｏｎｆｅｒｅｎｃｅ  ｏｎ  Ｃｏｍｐｕｔｅｒ  Ｖｉｓｉｏｎ  ａｎｄ  Ｐａｔｔｅｒｎ  Ｒｅｃｏｇｎｉｔｉｏｎ）、２００３年、ｐ．８０３−８１０
【非特許文献４】山口修、福井和広著、「顔向きや表情の変化にロバストな顔認識システム”   Ｓｍａｒｔｆａｃｅ”」、第１１回画像センシングシンポジウム講演論文集、２００５年、ｐ．７７−８０
【非特許文献５】高橋健一、中野倫明、山本新著、「画像処理による携帯通信による思考集中の検出の検討」、情報処理学会論文誌Ｄ−ＩＩ、２００１年、Ｖｏｌ．Ｊ８４−Ｄ−ＩＩ、Ｎｏ．６、ｐ．１０４５−１０５２
【発明の開示】
【発明が解決しようとする課題】
【０００５】
しかしながら、マウスやキーボード等を用いたユーザの手作業によりＰＣの画面に表示されたファイルの内容を他人に見られないようにすることはユーザにとって煩わしく、利便性に欠けるという問題があった。又、画面に表示されたファイルの内容を閲覧中のユーザが、背後から他のユーザが画面を閲覧していることに気づかない場合や、ファイルの内容を表示したまま離席する場合等において、閲覧を許可されていないユーザが表示された内容を閲覧する可能性があり、セキュリティ上の問題になっている。
【０００６】
本発明は、上記に鑑みてなされたものであり、閲覧を許可されていないユーザが閲覧できないように画面の表示を自動的に制御できる表示制御装置、表示制御方法、表示制御プログラム、および表示制御プログラム記録媒体を提供することを目的とする。
【課題を解決するための手段】
【０００７】
本願発明の一態様によれば、表示装置を制御する表示制御装置であって、人物を識別し、識別結果を識別結果格納手段に格納する識別手段と、表示装置に表示されたファイルの内容を閲覧する許可がなされている閲覧許可ユーザを規定する閲覧許可情報及び識別結果を、許可情報格納手段及び識別結果格納手段からそれぞれ読み出し、閲覧許可情報と識別結果を比較して人物が閲覧許可ユーザであるか否かを判定し、判定結果を判定結果格納手段に格納する判定手段と、人物の位置と表示装置との距離を算出し、算出結果を算出結果格納手段に格納する距離算出手段と、判定結果、算出結果、及び距離と最小可読文字サイズとの関係を示す文字サイズ情報を、判定結果格納手段、算出結果格納手段及び文字サイズ情報格納手段からそれぞれ読み出し、人物が閲覧許可ユーザでない場合に、文字サイズ情報を参照し、距離に応じて表示装置に表示された文字のサイズを変更するサイズ変更手段とを備える表示制御装置が提供される。
【０００８】
本願発明の他の態様によれば、識別手段、判定手段、距離算出手段、サイズ変更手段、識別結果格納手段、許可情報格納手段、判定結果格納手段、算出結果格納手段及び文字サイズ情報格納手段を備える表示制御装置を用いて表示装置を制御する表示制御方法であって、識別手段が人物を識別し、識別結果を識別結果格納手段に格納するステップと、判定手段が、表示装置に表示されたファイルの内容を閲覧する許可がなされている閲覧許可ユーザを規定する閲覧許可情報及び識別結果を、許可情報格納手段及び識別結果格納手段からそれぞれ読み出し、閲覧許可情報と識別結果を比較して人物が閲覧許可ユーザであるか否かを判定し、判定結果を判定結果格納手段に格納するステップと、距離算出手段が、人物の位置と表示装置との距離を算出し、算出結果を算出結果格納手段に格納するステップと、サイズ変更手段が、判定結果、算出結果、及び距離と最小可読文字サイズとの関係を示す文字サイズ情報を、判定結果格納手段、算出結果格納手段及び文字サイズ情報格納手段からそれぞれ読み出し、人物が閲覧許可ユーザでない場合に、文字サイズ情報を参照し、距離に応じて表示装置に表示された文字のサイズを変更するステップとを含む表示制御方法が提供される。
【０００９】
本願発明の他の態様によれば、表示装置を制御する表示制御プログラムであって、識別手段に人物を識別させ、識別結果を識別結果格納手段に格納させる命令と、判定手段に、表示装置に表示されたファイルの内容を閲覧する許可がなされている閲覧許可ユーザを規定する閲覧許可情報及び識別結果を、許可情報格納手段及び識別結果格納手段からそれぞれ読み出させ、閲覧許可情報と識別結果を比較して人物が閲覧許可ユーザであるか否かを判定させ、判定結果を判定結果格納手段に格納させる命令と、距離算出手段に、人物の位置と表示装置との距離を算出させ、算出結果を算出結果格納手段に格納させる命令と、サイズ変更手段に、判定結果、算出結果、及び距離と最小可読文字サイズとの関係を示す文字サイズ情報を、判定結果格納手段、算出結果格納手段及び文字サイズ情報格納手段からそれぞれ読み出させ、人物が閲覧許可ユーザでない場合に、文字サイズ情報を参照させ、距離に応じて表示装置に表示された文字のサイズを変更させる命令とを実行させるための表示制御プログラムが提供される。
【００１０】
本願発明の他の態様によれば、識別手段に人物を識別させ、識別結果を識別結果格納手段に格納させる命令と、判定手段に、表示装置に表示されたファイルの内容を閲覧する許可がなされている閲覧許可ユーザを規定する閲覧許可情報及び識別結果を、許可情報格納手段及び識別結果格納手段からそれぞれ読み出させ、閲覧許可情報と識別結果を比較して人物が閲覧許可ユーザであるか否かを判定させ、判定結果を判定結果格納手段に格納させる命令と、距離算出手段に、人物の位置と表示装置との距離を算出させ、算出結果を算出結果格納手段に格納させる命令と、サイズ変更手段に、判定結果、算出結果、及び距離と最小可読文字サイズとの関係を示す文字サイズ情報を、判定結果格納手段、算出結果格納手段及び文字サイズ情報格納手段からそれぞれ読み出させ、人物が閲覧許可ユーザでない場合に、文字サイズ情報を参照させ、距離に応じて表示装置に表示された文字のサイズを変更させる命令とを実行させるための表示制御プログラムを格納する表示制御プログラム記録媒体が提供される。
【発明の効果】
【００１１】
本発明によれば、閲覧を許可されていないユーザが閲覧できないように画面の表示を自動的に制御できる表示制御装置、表示制御方法、表示制御プログラム、および表示制御プログラム記録媒体を提供できる。
【発明を実施するための最良の形態】
【００１２】
次に、図面を参照して、本発明の第１及び第２の実施の形態を説明する。以下の図面の記載において、同一又は類似の部分には同一又は類似の符号を付している。又、以下に示す第１及び第２の実施の形態は、この発明の技術的思想を具体化するための装置や方法を例示するものであって、この発明の技術的思想は、構成部品の構造、配置等を下記のものに特定するものでない。この発明の技術的思想は、特許請求の範囲において、種々の変更を加えることができる。
【００１３】
（第１の実施の形態）
本発明の第１の実施の形態に係る表示制御装置は、図１に示すように、表示装置２を制御する表示制御装置であって、人物を識別し、識別結果を識別結果格納領域３０３に格納する識別部３０と、表示装置２に表示されたファイルの内容を閲覧する許可がなされている閲覧許可ユーザを規定する閲覧許可情報及び識別結果を、許可情報格納領域３０２及び識別結果格納領域３０３からそれぞれ読み出し、閲覧許可情報と識別結果を比較して人物が閲覧許可ユーザであるか否かを判定し、判定結果を判定結果格納領域３０４に格納する判定部４０と、人物の位置と表示装置２との距離を算出し、算出結果を算出結果格納領域３０５に格納する距離算出部５１と、判定結果、算出結果、及び距離と最小可読文字サイズとの関係を示す文字サイズ情報を、判定結果格納領域３０４、算出結果格納領域３０５及び文字サイズ情報格納領域３０６からそれぞれ読み出し、人物が閲覧許可ユーザでない場合に、文字サイズ情報を参照し、距離に応じて表示装置２に表示された文字のサイズを変更するサイズ変更部５２とを備える。「閲覧許可ユーザ」は、表示装置２に表示されるファイルの内容毎に、そのファイルの内容の閲覧を許可された人物をいう。
【００１４】
識別部３０は、撮像部３１、人物検出部３２及び同定部３３を備える。撮像部３１はカメラ等であり、画像情報を取得する。人物検出部３２は、撮像部３１が取得した画像情報を解析して、取得された画像情報を解析して画像情報に人物の情報が含まれるか否かを検出する。つまり、人物検出部３２は、表示装置２の周囲に人物が存在するか否かを検出する。例えば、予め取得された無人背景画像とリアルタイムに取得された画像情報の差分を考慮して得られる変化領域を人物がいる領域（人物領域）として、人物が存在するか否かを検出可能である。画像情報に人物が含まれているか否かを判定する方法は、実時間計測によって人物の位置を抽出する方法等の既知の方法が採用可能である。
【００１５】
上記の「表示装置２の周囲」は、人物検出部３２が人物を検出する範囲であり、人物検出部３２に予め設定される。例えば、「表示装置２の周囲」は撮像部３１が撮影可能な範囲として設定される。表示装置２に表示された文字を人物が読み取り可能な距離を仮定して、人物検出部３２が人物を検出する範囲が設定可能である。
【００１６】
同定部３３は、予め登録された登録情報を参照して、入力された画像情報に含まれる人物（以下において、「対象人物」という。）を同定する。例えば、撮像部３１により撮影された顔画像と登録情報に含まれる顔画像の類似度を比較することにより、検出された人物の同定が可能である。登録情報は後述するユーザ登録部１０によって登録される。
【００１７】
距離算出部５１は、ステレオマッチング等の方法によって撮像部３１が撮影した人物の３次元位置を算出する。具体的には、撮像部３１が２個のカメラを有するステレオカメラである場合に、撮像部３１の一方のカメラ（例えば右カメラ）で撮影される人物領域（画像座標）と、それに対応する撮像部３１の他方のカメラ（例えば左カメラ）で撮影される人物領域を用いた三角測量の原理により、人物領域の３次元位置を推測する。更に、推測された３次元位置と表示装置２の画面の中心座標との距離（ユークリッド距離）を算出する。距離算出部５１は、既知の距離算出装置を採用可能である。サイズ変更部５２は、表示装置２を制御して、表示装置２に表示される文字のサイズを変更する。
【００１８】
サイズ変更部５２は、例えば、表示装置２の周囲にいる人物にとっての最小可読文字サイズに、表示装置２に表示された文字のサイズを変更する。ここで、「最小可読文字サイズ」とは、例えば「ＪＩＳ規格Ｓ００３２：２００３  高齢者・障害者配慮設計指針−視覚表示物−日本語文字の最小可読文字サイズ推定方法」に記載された、人物が１文字を認識できる文字の大きさ等である。最小可読文字サイズは対象者と表示装置２との距離、表示装置２が設置された部屋の輝度、対象者の年齢、対象者の視力、文字の種類（ゴシック体、明朝体、平仮名、漢字等）等に応じて決定される。
【００１９】
図１に示したように、距離算出部５１及びサイズ変更部５２は制御部５０に含まれる。又、識別部３０、判定部４０及び制御部５０は、処理装置１に含まれる。処理装置１は、ユーザ登録部１０及び閲覧許可登録部２０を更に備える。
【００２０】
ユーザ登録部１０は、ユーザの顔画像等の、ユーザの同定に使用可能な情報を登録情報として登録する。登録された登録情報は、登録情報格納領域３０１に格納される。例えば、ユーザ登録部１０は、撮像部３１等を用いて閲覧許可ユーザの顔画像を撮影する。撮影した顔画像は、登録情報として登録情報格納領域３０１に格納される。更に、ユーザ登録部１０は、顔画像に対応するユーザのユーザ名、或いはユーザＩＤ等のユーザを特定する情報を顔画像に関連付けて、登録情報格納領域３０１に格納する。以下では、ユーザを特定する情報を単に「ユーザＩＤ」という。
【００２１】
閲覧許可登録部２０は、表示装置２に内容が表示されるファイル毎に、そのファイルの閲覧許可ユーザのユーザＩＤを閲覧許可情報として登録する。登録された閲覧許可情報は、許可情報格納領域３０２に格納される。例えば、閲覧許可登録部２０は、閲覧許可ユーザのユーザＩＤが登録された閲覧許可リストを閲覧許可情報として作成する。ファイル毎の閲覧許可ユーザは、図１に示した入力装置４を介して許可情報格納領域３０２に格納可能である。
【００２２】
入力装置４は、キーボード、マウス、ライトペン、スキャナー又はフレキシブルディスク装置等で構成される。入力装置４よりユーザは、ユーザＩＤ等を入力したり、表示制御の実行や中止等の指示を入力したりできる。
【００２３】
登録情報格納領域３０１、許可情報格納領域３０２、識別結果格納領域３０３、判定結果格納領域３０４、算出結果格納領域３０５及び文字サイズ情報格納領域３０６は、図１に示した格納装置３に含まれる。
【００２４】
図１に示した表示制御装置は、出力装置５を更に備える。出力装置５は、格納装置３に格納されたデータ等をコンピュータ読み取り可能な記録媒体に保存する記録装置等が接続可能なインタフェースである。
【００２５】
図２に、撮像部３１及び表示装置２の構成例を示す。図２に示すように、画面２１を有する表示装置２の上部に、２個のカメラ３１１及び３１２を有するステレオカメラである撮像部３１が搭載されている。ただし、撮像部３１が単眼カメラ等の他の形式のカメラであってもよい。
【００２６】
視距離Ｄと最小可読文字サイズＰとの関係を示す文字サイズ情報の例を式（１）に示す。「視距離」は、ユーザと画面との距離である：
Ｐ＝１．７５×Ｄ＋４．５  ・・・・・（１）
ただし、式（１）は、表示装置２が設置された部屋の明るさを１００［ｃｄ／ｍ2］、ユーザを２０歳台とした場合における、５〜１０画の漢字の最小可読文字サイズである。図３に、縦軸を最小可読文字サイズＰ、横軸を視距離Ｄとするグラフを示す。以下では、式（１）を用いて、視距離Ｄにおける最小可読文字サイズＰを算出する例を示す。式（１）は文字サイズ情報格納領域３０６に格納される。尚、式（１）以外の最小可読文字サイズＰと視距離Ｄの関係を示す関係式を用いてもよいことは勿論である。又、最小可読文字サイズＰと視距離Ｄの関係を示すテーブルが文字サイズ情報格納領域３０６に格納されてもよい。つまり、文字サイズ情報格納領域３０６に、視距離Ｄと、視距離Ｄに応じて定まる対象人物にとっての最小可読文字サイズＰとの関係を示す文字サイズ情報が格納される。
【００２７】
図１に示した表示制御装置によって、表示装置２に表示される文字サイズを制御する方法の例を図４及び図５に示したフローチャートを用いて説明する。先ず、閲覧許可ユーザを登録する方法の例を図４のフローチャートを用いて説明する。
【００２８】
ステップＳ１において、ユーザ登録部１０が、例えば撮像部３１を用いて各ユーザの顔画像に関する情報等の登録情報を表示制御装置に登録する。既に述べたように、ユーザ登録部１０は、顔画像に対応するユーザのユーザＩＤを顔画像に関連付けて、登録情報格納領域３０１に格納する。ユーザＩＤは、例えば入力装置４を介して登録情報格納領域３０１に格納される。
【００２９】
ステップＳ２において、閲覧許可登録部２０が、表示装置２に内容が表示されるファイル毎に、そのファイルの閲覧許可ユーザのユーザＩＤを閲覧許可情報として登録する。具体的には、閲覧許可登録部２０はファイル毎に閲覧許可ユーザのユーザＩＤが登録された閲覧許可リストを作成する。作成された閲覧許可リストは、許可情報格納領域３０２に格納される。閲覧許可リストは、予め入力装置４を介して許可情報格納領域３０２に格納されていてもよい。
【００３０】
次いで、図５に示したフローチャートを用いて、表示装置２に表示される文字サイズを制御する方法の例を説明する。
【００３１】
ステップＳ１０において、人物検出部３２が、撮像部３１から入力される画像情報を解析して、表示装置２の周辺に人物が存在するか否かを検出する。表示装置２の周辺に人物が存在する場合は、ステップＳ２０に進む。表示装置２の周辺に人物が存在しない場合は、人物検出部３２は、表示装置２の周辺で人物を検出するまで撮像部３１から入力される画像情報を処理する。
【００３２】
ステップＳ２０において、同定部３３が、ユーザ登録部１０によって登録された登録情報である各ユーザの顔画像を登録情報格納領域３０１から読み出す。同定部３３は、読み出した各ユーザの顔画像と、撮像部３１から入力された対象人物の顔画像とを比較して対象人物を同定する。撮影された人物が同定され、識別部３０によってユーザ識別された場合、つまり人物が認証された場合は、識別部３０は、対象人物のユーザＩＤを取得する。人物が同定されない場合は、対象人物のユーザＩＤは取得されない。
【００３３】
ステップＳ３０において、判定部４０が、識別部３０によって識別された人物が、表示装置２に表示されているファイルの内容を閲覧する許可がなされている閲覧許可ユーザか否かを判定する。具体的には、判定部４０は、表示装置２に内容が表示されているファイルに関する情報を表示装置２から取得し、許可情報格納領域３０２から閲覧許可リストを読み出す。判定部４０は、識別部３０が取得したユーザＩＤと閲覧許可リストとを比較して、対象人物のユーザＩＤが画面２１に内容が表示されているファイルの閲覧許可ユーザに含まれているか否かを判定する。対象人物が閲覧許可ユーザである場合は、ステップＳ３０の処理を繰り返す。一方、対象人物が閲覧許可ユーザでないと判定した場合は、ステップＳ４０に進む。又、撮像部３１から入力された対象人物を同定できず、対象人物のユーザＩＤが取得されていない場合は、判定部４０は、対象人物が閲覧許可ユーザではないと判定する。
【００３４】
ステップＳ４０において、距離算出部５１が、対象人物と表示装置２の画面の中心座標との距離、即ち視距離Ｄを算出する。算出された視距離Ｄは、算出結果格納領域３０５に格納される。
【００３５】
ステップＳ５０において、サイズ変更部５２が、算出結果格納領域３０５から視距離Ｄを読み出し、表示装置２に表示されている文字サイズの情報を表示装置２から取得する。サイズ変更部５２は、視距離Ｄに対して、表示装置２に表示された文字のサイズが対象人物の最小可読サイズ以上であるか否かを判断する。具体的には、サイズ変更部５２は文字サイズ情報として式（１）を文字サイズ情報格納領域３０６から読み出し、視距離Ｄに対応する最小可読文字サイズＰ以上のサイズの文字が表示装置２に表示されているか否かを式（１）を用いた計算結果を参照して判断する。最小可読文字サイズＰ以上のサイズの文字が表示装置２に表示されている場合は、ステップＳ６０に進む。一方、最小可読文字サイズＰ以上のサイズの文字が表示装置２に表示されていない場合は、処理はステップＳ４０に戻る。
【００３６】
ステップＳ６０において、サイズ変更部５２が表示装置２を制御して、最小可読文字サイズＰ以上のサイズの文字が、最小可読文字サイズＰより小さいサイズの文字に変更される。そして、処理はステップＳ４０に戻り、継続的に閲覧許可ユーザではない対象人物と表示装置２との距離を算出し、算出された距離に応じた最小可読文字サイズＰ以上のサイズの文字を最小可読文字サイズＰより小さいサイズの文字に変更させる。
【００３７】
又、追加機能として以下の機能を表示制御装置に持たせてもよい：
（ａ）ステップＳ２０の結果、表示装置２に表示されたファイルの閲覧許可ユーザが表示装置２の周囲に検出されなかった場合は、表示装置２にそのファイルの内容全体を表示しない。
【００３８】
（ｂ）ステップＳ２０の結果、表示装置２に表示されたファイルの閲覧許可ユーザのみが表示装置２の周囲にいる場合は、そのファイルの内容全体を表示装置２に表示する。
【００３９】
具体的には、制御部５０が表示装置２を制御して、表示装置２にファイルの内容を表示させたり、非表示にさせたりする。
【００４０】
又、ステップＳ６０において、最小可読文字サイズＰ以上のサイズの文字が最小可読文字サイズＰより小さいサイズの文字に変更される例を示したが、対象人物が閲覧を許可されていないファイル全体の文字のサイズを最小可読文字サイズＰより小さくしてもよい。その結果、ファイル内の文字サイズの大小関係を維持することができる。少なくとも最小可読文字サイズＰ以上のサイズの文字が最小可読文字サイズＰより小さいサイズの文字に変更されるため、閲覧許可ユーザではない対象人物は、ファイルの内容を閲覧することはできない。
【００４１】
ステップＳ４０において、対象人物のユーザＩＤが取得されていない場合は、対象人物が閲覧許可ユーザではないと判定する例を示したが、対象人物のユーザＩＤが取得されていない場合は、対象人物が閲覧許可ユーザと判定するように設定することも可能である。つまり、特定の人物に対してのみ、表示装置２に表示されたファイルの内容を閲覧禁止にできる。
【００４２】
尚、画像情報に複数の人物が含まれている場合には、全員について閲覧許可ユーザであるか否かが判定される。一人でも閲覧許可ユーザではない人物が含まれている場合には、上記に説明した画面表示の制御を行う。
【００４３】
上記の説明では、視距離Ｄを用いて最小可読文字サイズＰを設定する例を示したが、視距離Ｄに加えて、例えば表示装置２が設置された部屋の輝度、表示装置２に表示された文字の種類（明朝体、ゴシック体、漢字、平仮名等）、対象人物の視力、対象人物の年齢等を用いて最小可読文字サイズＰを設定してもよい。
【００４４】
図５に示した一連の表示制御操作は、図５と等価なアルゴリズムのプログラムにより、図１に示した表示制御装置を制御して実行できる。このプログラムは、図１に示した表示制御装置を構成する格納装置３に記憶させればよい。又、このプログラムは、コンピュータ読み取り可能な記録媒体に保存し、この記録媒体を図１に示した出力装置５を介して格納装置３に読み込ませることにより、本発明の一連の表示制御操作を実行することができる。ここで、「コンピュータ読み取り可能な記録媒体」とは、例えばコンピュータの外部メモリ装置、半導体メモリ、磁気ディスク、光ディスク等の電子データを記録することができるような媒体等を意味する。具体的には、フレキシブルディスク、ＣＤ−ＲＯＭ、ＭＯディスク等が「コンピュータ読み取り可能な記録媒体」に含まれる。
【００４５】
以上に説明したように、本発明の第１の実施の形態に係る表示制御装置によれば、表示装置２の周囲の対象人物が閲覧許可ユーザであるか否かを識別し、対象人物が閲覧許可ユーザではない場合に、表示装置２に表示された文字のサイズを最小可読文字サイズＰより小さいサイズに自動的に変更する。そのため、ユーザが手作業で表示装置２に表示されたファイルの内容を他人に見られないようにする必要がなく、利便性が向上する。
【００４６】
又、本発明の第１の実施の形態に係る表示制御装置画面によれば、表示されたファイルの内容を閲覧中のユーザが、背後から他のユーザが画面を閲覧していることに気づかない場合や、ファイルの内容を表示したまま離席する場合等においても、自動的に表示装置２に表示された文字のサイズが変更される。そのため、セキュリティを確保することができる。更に、セキュリティの侵害にあたる文字のみのサイズを制御する場合は、閲覧許可されていない人物の存在に応じてファイル内容全体の表示、非表示を制御する場合に比べて、ユーザの作業効率の低下を低減できる。つまり、背後の人物が認識できないサイズに文字のサイズを変更することで、セキュリティを確保しながら、ユーザは作業を続行することができる。
【００４７】
（第２の実施の形態）
本発明の第２の実施の形態に係る表示制御装置は、図６に示すように、制御部５０が、人物の視線の方向が表示装置２に向いているか否かを検出する視線検出部５３を更に備える点が図１と異なる。その他の構成については、図１に示す第１の実施の形態と同様である。視線検出部５３は、撮像部３１が撮影した画像情報に含まれる対象人物の顔の画像を処理して、対象人物の視線方向及び眼球位置を検出する。尚、対象人物の視線方向及び眼球位置の検出方法は、既知の方法を適用可能である。
【００４８】
図１に示した表示制御装置では、閲覧許可ユーザ以外の人物が表示装置２の周囲を通過するたびに、その人物が表示装置２に表示されたファイルの内容に無関心であっても、表示装置２に表示された文字のサイズが変更されるという問題が発生する可能性がある。
【００４９】
上記問題を解決するために、図６に示した表示制御装置では、対象人物の視線の向きを検出する。そして、表示装置２に最小可読文字サイズＰ以上の文字が表示されている場合に、閲覧許可ユーザではない対象人物の視線の動きに応じて、表示装置２に表示された文字のサイズを変更する。具体的には、対象人物の視線が表示装置２に向けられている場合には、表示装置２に表示された文字のサイズを最小可読文字サイズより小さくする。対象人物の視線が表示装置２に向けられていない場合には、表示装置２に表示された文字のサイズを変更しない。
【００５０】
図６に示した表示制御装置によって、表示装置２に表示される文字サイズを制御する方法の例を図７に示したフローチャートを用いて説明する。
【００５１】
図７のステップＳ１０〜ステップＳ５０において、図５のフローチャートで説明した方法と同様にして、表示装置２の周囲の対象人物が閲覧許可ユーザでない場合に、表示装置２に表示された文字のサイズが対象人物の最小可読サイズ以上であるか否かが判断される。最小可読文字サイズＰ以上のサイズの文字が表示装置２に表示されている場合は、ステップＳ５２に進む。
【００５２】
ステップＳ５２において、視線検出部５３が、対象人物の視線及び眼球位置を検出する。検出された対象人物の視線及び眼球位置の情報は、格納装置３に含まれる視線情報格納領域３０７に格納される。ステップＳ５４において、視線検出部５３が視線情報格納領域３０７から対象人物の視線及び眼球位置の情報を読み出し、対象人物の視線が表示装置２に向けられているか否か、つまり、対象人物が表示装置２を見ているか否かを判定する。対象人物の視線が表示装置２に向けられていると判定された場合は、ステップＳ６０に進み、最小可読文字サイズＰ以上のサイズの文字が、最小可読文字サイズＰより小さいサイズの文字に変更される。一方、対象人物の視線が表示装置２に向けられていないと判定された場合は、表示装置２に表示された文字のサイズは変更されない。
【００５３】
上記では、対象人物の視線の方向を用いる例を説明したが、対象人物の顔の向きを用いて対象人物の視線が表示装置２に向けられているか否かを判定してもよい。
【００５４】
本発明の第２の実施の形態に係る表示制御装置では、対象人物と表示装置２との距離に加えて、対象人物の視線が表示装置２に向けられているか否かを判定する。そのため、閲覧許可ユーザ以外の人物が表示装置２の周囲を通過するたびに表示装置２に表示された文字のサイズが変更されることが回避できる。その結果、図６に示した表示制御装置によれば、閲覧許可ユーザの作業効率の低下を更に低減することができる。他は、第１の実施の形態と実質的に同様であり、重複した記載を省略する。
【００５５】
（その他の実施の形態）
上記のように、本発明は第１及び第２の実施の形態によって記載したが、この開示の一部をなす論述及び図面はこの発明を限定するものであると理解すべきではない。この開示から当業者には様々な代替実施の形態、実施例及び運用技術が明らかとなろう。
【００５６】
既に述べた第１及び第２の実施の形態の説明においては、顔認識に基づく個人認証技術を用いる例を説明したが、例えば、指紋、虹彩、静脈、高周波アイデンティフィケーション（ＲＦＩＤ）タグ等を用いた個人認証技術を適用することができる。
【００５７】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００５８】
【図１】本発明の第１の実施の形態に係る表示制御装置の構成を示す模式図である。
【図２】本発明の第１の実施の形態に係る表示制御装置の撮像部及び表示装置の構成例を示す模式図である。
【図３】最小可読文字サイズと視距離の関係の例を示すグラフである。
【図４】本発明の第１の実施の形態に係る閲覧許可ユーザを登録する方法の例を説明するためのフローチャートである。
【図５】本発明の第１の実施の形態に係る表示制御方法の例を説明するためのフローチャートである。
【図６】本発明の第２の実施の形態に係る表示制御装置の構成を示す模式図である。
【図７】本発明の第２の実施の形態に係る表示制御方法の例を説明するためのフローチャートである。
【符号の説明】
【００５９】
１…処理装置
２…表示装置
３…格納装置
４…入力装置
５…出力装置
１０…ユーザ登録部
２０…閲覧許可登録部
３０…識別部
３１…撮像部
３２…人物検出部
３３…同定部
４０…判定部
５０…制御部
５１…距離算出部
５２…サイズ変更部
５３…視線検出部
３０１…登録情報格納領域
３０２…許可情報格納領域
３０３…識別結果格納領域
３０４…判定結果格納領域
３０５…算出結果格納領域
３０６…文字サイズ情報格納領域
３０７…視線情報格納領域
【図１】
2007163864.tif 000003
【図２】
2007163864.tif 000004
【図３】
2007163864.tif 000005
【図４】
2007163864.tif 000006
【図５】
2007163864.tif 000007
【図６】
2007163864.tif 000008
【図７】
2007163864.tif 000009